(57)【要約】【課題】よりアミューズメント性が高いコンテンツ提供システムを提供する。【解決手段】コピー機２は、ユーザから提示されるコンテンツ選択用の原稿から画像データを読み込み、読み込まれた画像データから所定の画像パラメータを抽出し、抽出された画像パラメータに基づき、予め用意された多数のコンテンツの中からユーザに提供すべきコンテンツを選択し、選択されたコンテンツを印刷媒体に印刷する。【選択図】図１
2007111209.tif 000002
【特許請求の範囲】
【請求項１】
ユーザから提示されるコンテンツ選択用の原稿から画像データを読み込む画像読込手段と、
前記画像読込手段により読み込まれた画像データから所定の画像パラメータを抽出する画像パラメータ抽出手段と、
前記画像パラメータ抽出手段により抽出された画像パラメータに基づき、予め用意された多数のコンテンツの中から前記ユーザに提供すべきコンテンツを選択するコンテンツ選択手段と、
前記コンテンツ選択手段により選択されたコンテンツを所定の媒体に出力するコンテンツ出力手段と、
を有することを特徴とするコンテンツ提供システム。
【請求項２】
原稿から画像データを読み込むスキャナと当該スキャナにより読み込まれた画像データを印刷媒体に印刷するプリントエンジンとを備えるコピー機と、
ユーザから提示されるコンテンツ選択用の原稿の画像データを前記スキャナにより取得する画像データ取得手段と、
前記画像データ取得手段により取得された画像データから所定の画像パラメータを抽出する画像パラメータ抽出手段と、
前記画像パラメータ抽出手段により抽出された画像パラメータに基づき、予め用意された多数のコンテンツの中から前記ユーザに提供すべきコンテンツを選択するコンテンツ選択手段と、
前記コンテンツ選択手段により選択されたコンテンツを前記プリントエンジンに印刷させるコンテンツ印刷制御手段と、
を有することを特徴とするコンテンツ提供システム。
【請求項３】
請求項１または２に記載のコンテンツ提供システムであって、
前記コンテンツ選択手段は、前記画像パラメータに基づきコンテンツのグループを特定し、特定されたグループに属するコンテンツの中から、他の所定のパラメータに基づきコンテンツを選択することを特徴とするコンテンツ提供システム。
【請求項４】
請求項２に記載のコンテンツ提供システムであって、
前記コピー機は、画像処理条件の設定を受け付けるユーザインタフェースを備え、
前記コンテンツ選択手段は、前記画像パラメータおよび前記ユーザインタフェースにて設定された設定内容に基づきコンテンツを選択することを特徴とするコンテンツ提供システム。
【請求項５】
請求項４に記載のコンテンツ提供システムであって、
前記コンテンツ選択手段は、前記画像パラメータに基づきコンテンツのグループを特定し、特定されたグループに属するコンテンツの中から前記設定内容に基づきコンテンツを選択することを特徴とするコンテンツ提供システム。
【請求項６】
請求項１〜５のいずれか１項に記載のコンテンツ提供システムであって、
前記コンテンツの提供に関する課金処理を行う課金手段をさらに有することを特徴とするコンテンツ提供システム。
【発明の詳細な説明】
【技術分野】
【０００１】
本発明は、デジタルコンテンツをユーザに提供するコンテンツ提供システムに関する。
【背景技術】
【０００２】
「ガチャガチャ」と呼ばれる子供用玩具販売機や、トレーディングカードのように中身が不明のまま販売されるシステムは公知である。また、デジタルコンテンツを販売するシステムとして、特許文献１には、購入者に選択されたコンテンツを販売するものが示されており、特許文献２には、ランダムに選択したコンテンツを販売するものが開示されている。
【０００３】
【特許文献１】特開平１１−２２４２８８号公報
【特許文献２】特開２００２−４２２３３号公報
【発明の開示】
【発明が解決しようとする課題】
【０００４】
しかし、自らが選択したものを購入することにはアミューズメント性はなく、また、ランダムに（勝手に）選択されてしまってはアミューズメント性に一定の限界がある。
【０００５】
そこで、本発明は、よりアミューズメント性が高いコンテンツ提供システムを提供する。
【課題を解決するための手段】
【０００６】
本発明に係るコンテンツ提供システムは、ユーザから提示されるコンテンツ選択用の原稿から画像データを読み込む画像読込手段と、前記画像読込手段により読み込まれた画像データから所定の画像パラメータを抽出する画像パラメータ抽出手段と、前記画像パラメータ抽出手段により抽出された画像パラメータに基づき、予め用意された多数のコンテンツの中から前記ユーザに提供すべきコンテンツを選択するコンテンツ選択手段と、前記コンテンツ選択手段により選択されたコンテンツを所定の媒体に出力するコンテンツ出力手段と、を有することを特徴とする。
【０００７】
また、本発明に係るコンテンツ提供システムは、原稿から画像データを読み込むスキャナと当該スキャナにより読み込まれた画像データを印刷媒体に印刷するプリントエンジンとを備えるコピー機と、ユーザから提示されるコンテンツ選択用の原稿の画像データを前記スキャナにより取得する画像データ取得手段と、前記画像データ取得手段により取得された画像データから所定の画像パラメータを抽出する画像パラメータ抽出手段と、前記画像パラメータ抽出手段により抽出された画像パラメータに基づき、予め用意された多数のコンテンツの中から前記ユーザに提供すべきコンテンツを選択するコンテンツ選択手段と、前記コンテンツ選択手段により選択されたコンテンツを前記プリントエンジンに印刷させるコンテンツ印刷制御手段と、を有することを特徴とする。
【０００８】
上記いずれかのコンテンツ提供システムにおいて、好適な態様では、前記コンテンツ選択手段は、前記画像パラメータに基づきコンテンツのグループを特定し、特定されたグループに属するコンテンツの中から、他の所定のパラメータに基づきコンテンツを選択する。
【０００９】
上記コピー機を含むコンテンツ提供システムにおいて、好適な態様では、前記コピー機は、画像処理条件の設定を受け付けるユーザインタフェースを備え、前記コンテンツ選択手段は、前記画像パラメータおよび前記ユーザインタフェースにて設定された設定内容に基づきコンテンツを選択する。この構成における好適な態様では、前記コンテンツ選択手段は、前記画像パラメータに基づきコンテンツのグループを特定し、特定されたグループに属するコンテンツの中から前記設定内容に基づきコンテンツを選択する。
【００１０】
上記いずれかのコンテンツ提供システムにおいて、好適な態様では、前記コンテンツの提供に関する課金処理を行う課金手段をさらに有する。
【発明の効果】
【００１１】
本発明によれば、よりアミューズメント性が高いコンテンツ提供システムを提供することができる。
【発明を実施するための最良の形態】
【００１２】
以下、本発明の実施の形態を図面に従って説明する。
【００１３】
［第１の実施の形態］
図１は、本実施の形態に係るコンテンツ提供システム１００の全体構成を示すブロック図である。このコンテンツ提供システム１００は、デジタルコンテンツ（以下、単に「コンテンツ」という）をユーザに提供するシステムである。具体的には、本実施の形態では、コンビニエンスストア等の店舗に設置されたコピー機を利用してトレーディングカード（ゲームやアニメのキャラクタ、スポーツ選手、または人気タレントなどが印刷されたカード）を販売するコンテンツ販売システムである。図１において、コンテンツ提供システム１００は、コンテンツ提供サーバ１と、これにインターネット等のネットワークＮを介して接続された一以上のコピー機２とを含んで構成されている。
【００１４】
コンテンツ提供サーバ１は、多数のコンテンツ（ここではゲームキャラクタ等の画像データ）を保管、管理するとともに、各コピー機２にコンテンツを配信するサーバである。
【００１５】
コピー機２は、広く知られているとおり原稿の画像を読み取って紙等の印刷媒体に印刷する装置であり、好適にはカラーコピー機である。本実施の形態では、コピー機２は、コンテンツ提供に係る機能を備えており、コンテンツ提供端末として動作する。
【００１６】
図２は、コピー機２の構成を示すブロック図である。以下、図２を参照して、コピー機２の構成について説明する。図２において、コピー機２は、スキャナ１０、プリントエンジン２０、ユーザインタフェース（ＵＩ）３０、およびコントローラ４０を有する。
【００１７】
スキャナ１０は、プラテン方式やシートスルー方式などにより、原稿の画像を光学的に読み取ってデジタルの画像データを生成する装置である。
【００１８】
プリントエンジン２０は、電子写真方式やインクジェット方式などにより、画像データに基づく画像を印刷媒体に印刷する装置である。
【００１９】
ＵＩ３０は、各種情報の表示およびユーザ操作の受け付けを行う入出力装置であり、例えばタッチパネル式の液晶ディスプレイなどである。
【００２０】
コントローラ４０は、コピー機全体を制御するものである。ここでは、コントローラ４０は、ＣＰＵ（Central Processing Unit）、ＲＯＭ（Read Only Memory）、ＲＡＭ（Random Access Memory）、およびＮＶＲＡＭ（Non Volatile RAM）などを含んで構成され、その機能は、ＲＯＭ等の記録媒体に記録されたプログラムがＣＰＵにより実行されることによって実現される。ただし、コントローラ４０の実現態様は上記に限定されない。
【００２１】
コントローラ４０は、コピー機能を実現させるための機能ブロックとして、コピー機能制御部４１を含む。ここで、コピー機能制御部４１の処理について簡単に説明すると、コピー機能制御部４１は、ＵＩ３０を介して、画像処理条件の設定をユーザから受け付ける。画像処理条件としては、大きく分けて画像読み込み条件と印刷条件とがある。コピー機能制御部４１は、ＵＩ３０にて設定された画像読み込み条件に従って、スキャナ１０を制御して原稿から画像データを読み込む。そして、コピー機能制御部４１は、印刷条件に従って、プリントエンジン２０を制御して上記読み込まれた画像データを印刷媒体に印刷する。
【００２２】
本実施の形態では、コントローラ４０はさらに、コンテンツ提供に係る機能を実現させるための機能ブロックとして、コンテンツ提供制御部４２を含む。
【００２３】
図３は、コンテンツ提供制御部４２の構成を示すブロック図である。図３において、コンテンツ提供制御部４２は、画像データ取得部４２ａ、画像パラメータ抽出部４２ｂ、コンテンツ選択部４２ｃ、コンテンツ印刷制御部４２ｄ、および課金部４２ｅを有する。
【００２４】
画像データ取得部４２ａは、ユーザから提示されるコンテンツ選択用の原稿の画像データをスキャナ１０により取得する。
【００２５】
画像パラメータ抽出部４２ｂは、画像データ取得部４２ａにより取得された画像データから所定の画像パラメータを抽出する。ここで、所定の画像パラメータとしては、例えば、原稿内のテキストと絵の割合、原稿内のテキストと絵の位置に基づく値、原稿内の濃度のヒストグラムに基づく値、原稿内に使用されている色（赤系統が多い等）に基づく値、原稿内の文字数、原稿内の絵の数、特定の文字が含まれるか否か、特定の図形が含まれるか否か、あるいは画像データ全体もしくは一部の画素値に演算（加算、減算、乗算、除算、論理演算（ＡＮＤ／ＯＲ／ＸＯＲ／ＮＯＴ）等）を施して得られる演算値、またはこれらの組み合わせが挙げられる。
【００２６】
コンテンツ選択部４２ｃは、画像パラメータ抽出部４２ｂにより抽出された画像パラメータに基づき、予め用意された多数のコンテンツ（ここでは、コンテンツ提供サーバ１に保存されているコンテンツ）の中から、ユーザに提供すべきコンテンツを選択する。
【００２７】
コンテンツ印刷制御部４２ｄは、コンテンツ選択部４２ｃにより選択されたコンテンツをプリントエンジン２０に印刷させて、コンテンツが印刷された媒体（トレーディングカード）をユーザに提供する。
【００２８】
課金部４２ｅは、コンテンツの提供に関する課金処理を行う。この課金処理は、適宜の方式で行われればよく、例えば現金、プリペイドカード、クレジットカードなどを用いて行われる。
【００２９】
図４は、コンテンツ提供におけるコントローラ４０の動作手順を示すフローチャートである。以下、図４に従って、コンテンツ提供におけるコンテンツ提供システム１００の動作について具体的に説明する。なお、コピー機２の一般的なコピー動作については、広く知られているので、ここでは説明を省略する。また、以下の例では、コンテンツ提供サーバ１には、１０種類のコンテンツが、それぞれコンテンツ識別子ｉ（ｉは０〜９の整数）と対応付けて保存されているものとする。
【００３０】
コントローラ４０は、「コピー」ボタンと「トレーディングカード」ボタンとが配置されたメニュー画面をＵＩ３０上に表示させて待機する。このメニュー画面上でユーザにより「トレーディングカード」ボタンが押下されると、コントローラ４０は、以下のとおりにトレーディングカード販売に係る処理を実行する。
【００３１】
まず、コントローラ４０の課金部４２ｅは、トレーディングカード販売に関する課金処理を行う（Ｓ１）。具体的には、課金部４２ｅは、ＵＩ３０の画面表示により、コピー機２に併設された不図示の料金支払機への料金の支払いをユーザに促し、料金支払機に所定金額のコインが投入されたことを検知すると、課金完了を画像データ取得部４２ａに通知する。
【００３２】
画像データ取得部４２ａは、課金完了の通知を受けると、コンテンツ選択用の原稿のスキャナ１０へのセットを促す画面をＵＩ３０上に表示させる（Ｓ２）。ここでは、画像データ取得部４２ａは、「原稿を原稿台にセットして、スタートボタンを押してください。」とのメッセージとともに、スタートボタンをＵＩ３０上に表示させる。
【００３３】
画像データ取得部４２ａは、スタートボタンが押下されるまで待機する（Ｓ３：ＮＯ）。ユーザによりスキャナ１０に任意の原稿がセットされた後、スタートボタンが押下されると（Ｓ３：ＹＥＳ）、画像データ取得部４２ａは、スキャナ１０にスキャンを開始させて、セットされた原稿から画像データを読み込み、読み込まれた画像データを画像パラメータ抽出部４２ｂに渡す（Ｓ４）。
【００３４】
画像パラメータ抽出部４２ｂは、画像データ取得部４２ａから画像データを受けると、当該画像データから所定の画像パラメータを抽出する（Ｓ５）。本例では、所定の画像パラメータとして、画像データを構成する全ての画素データを足していって算出された値の最下位の１桁の値が採用される。ここでは、下記式
0x00+0x55+・・・+0xFE = 0x450CA20 = 72403488
のとおりに画素データが累積加算され、得られた値「７２４０３４８８」の最下位の１桁の値「８」が画像パラメータとして抽出されたものとする。そして、画像パラメータ抽出部４２ｂは、抽出された画像パラメータをコンテンツ選択部４２ｃに渡す。
【００３５】
コンテンツ選択部４２ｃは、画像パラメータ抽出部４２ｂから画像パラメータを受けると、当該画像パラメータに基づいてユーザに提供すべきコンテンツを選択する（Ｓ６）。ここでは、コンテンツ選択部４２ｃは、コンテンツ識別子が画像パラメータ「８」と一致するコンテンツを選択し、コンテンツ識別子「８」に対応付けられたコンテンツ（画像データ）をコンテンツ提供サーバ１からダウンロードする。そして、コンテンツ選択部４２ｃは、当該コンテンツをコンテンツ印刷制御部４２ｄに渡す。
【００３６】
コンテンツ印刷制御部４２ｄは、コンテンツ選択部４２ｃからコンテンツを受けると、当該コンテンツをプリントエンジン２０に印刷させる（Ｓ７）。プリントエンジン２０は、コンテンツが印刷されたカードを不図示の排出トレイに排出し、ユーザに提供する。
【００３７】
以上のとおり、本実施の形態では、ユーザから提示されるコンテンツ選択用の原稿から画像データを読み込み、当該画像データから所定の画像パラメータを抽出し、当該画像パラメータに基づき、予め用意された多数のコンテンツの中からユーザに提供すべきコンテンツを選択し、選択されたコンテンツを所定の媒体に出力してユーザに提供する。このため、本実施の形態によれば、コンテンツ選択の因子をユーザ（購入者）に持たせることができ、ユーザの選択やランダムな選択に基づいてコンテンツを提供する場合と比較して、よりアミューズメント性が高く、より購買者の購買意欲を誘うことができるコンテンツ提供システムを提供することができる。
【００３８】
また、本実施の形態では、コピー機をコンテンツ提供端末として利用する。具体的には、コンテンツ選択用の原稿の読み込み、およびコンテンツの所定媒体への出力をコピー機を用いて行う。このため、本実施の形態によれば、既存の設備（例えば全国各地のコンビニエンスストアに設置されたコピー機）を有効に活用してコンテンツを提供することができ、効率的に、または広範囲でコンテンツ提供を行うことができる。
【００３９】
［第２の実施の形態］
本実施の形態に係るコンテンツ提供システム２００は、上記コンテンツ提供システム１００と殆ど同じであるが、画像パラメータに基づきコンテンツのグループを特定し、特定されたグループに属するコンテンツの中から、他の所定のパラメータに基づきコンテンツを選択するものである。ここで、他の所定のパラメータとしては、例えば、日付（年月日）、現在時刻（何時何分何秒）、コピー機の電源がＯＮされてからの時間、印刷またはスキャンの枚数（当該日、当該月、コピー機が設置されてから、電源がＯＮされてから等）、コピー機の場所、コピー機のシリアル番号、乱数発生器により生成された乱数、あるいはコピー機に設定された画像処理条件の設定内容、またはこれらの組み合わせが挙げられる。他の所定のパラメータは、コンテンツ選択をどの程度ランダムに行うか等によって、適宜に決められればよい。例えば、ランダム性を高くしたい場合には乱数や現在時刻などを用い、ランダム性を低くして作為性を高くしたい場合には画像処理条件の設定内容などを用いるとよい。
【００４０】
以下、コンテンツ提供システム２００について、他の所定のパラメータとして画像処理条件の設定内容を採用した場合を例にとって具体的に説明する。なお、以下の説明では、コンテンツ提供システム１００と共通する部分については、同一の符号を用い、説明を省略することとする。
【００４１】
図５は、本実施の形態におけるコンテンツ提供制御部４２の構成を示すブロック図である。図５に示されるとおり、本実施の形態では、コンテンツ提供制御部４２は、機能ブロック４２ａ〜４２ｅに加えて、設定内容取得部４２ｆを有する。
【００４２】
設定内容取得部４２ｆは、ＵＩ３０を介して画像処理条件の設定内容を取得する。ここで、画像処理条件としては、上述したとおり大きく分けて画像読み込み条件と印刷条件とがあり、例えば、原稿サイズ（読み込みサイズ）、カラーモード（白黒またはカラー）、倍率（例えば２５．０〜４００．０％）、読み込み又は印刷の濃度（濃い−ふつう−薄い）、コントラスト（強く−ふつう−弱く）、彩度（強く−ふつう−弱く）、シャープネス（強く−ふつう−弱く）、ローテーションなどが挙げられる。
【００４３】
コンテンツ選択部４２ｃは、本実施の形態では、画像パラメータ抽出部４２ｂにより抽出された画像パラメータと、設定内容取得部４２ｆにより取得された画像処理条件の設定内容とに基づき、予め用意された多数のコンテンツの中から、ユーザに提供すべきコンテンツを選択する。具体的には、コンテンツ選択部４２ｃは、画像パラメータに基づきコンテンツのグループを特定し、特定されたグループに属するコンテンツの中から設定内容に基づきコンテンツを選択する。
【００４４】
以下、本実施の形態におけるコントローラ４０の動作の一例を具体的に示す。なお、以下に示される例では、コンテンツの種類は１００種類であるものとする。また、１００種類のコンテンツは、各グループが１０種類のコンテンツを含む１０個のグループに分けられているものとする。そして、コンテンツ提供サーバ１には、１００種類のコンテンツが、それぞれコンテンツ識別子（ｇ，ｉ）（ｇおよびｉは０〜９の整数）と対応付けて保存されているものとする。ここで、「ｇ」は各グループを一意に識別するための識別番号（以下、グループ番号という）であり、「ｉ」は各グループ内の各コンテンツを一意に識別するための識別番号（以下、コンテンツ番号という）であり、コンテンツ識別子（ｇ，ｉ）は、グループ番号「ｇ」のグループに属するコンテンツ番号「ｉ」のコンテンツを示す。なお、コンテンツのグループ分けは適宜の規則で行われればよいが、例えば、キャラクタの属性やコンテンツのレア度などによってグループ分けされるとよい。
【００４５】
本実施の形態では、課金処理の終了後、コントローラ４０は、原稿のセットを促す画面の他に、画像処理条件の設定を促す画面および画像処理条件を設定するための設定用画面をＵＩ３０上に表示させる。ここでは、コントローラ４０は、「原稿を原稿台にセットし、コピー条件を設定した後に、スタートボタンを押してください。」とのメッセージとともに、倍率や原稿サイズ等の設定ボタンおよびスタートボタンをＵＩ３０上に表示させる。
【００４６】
そして、ユーザによりスキャナ１０に任意の原稿がセットされ、画像処理条件が設定された後、スタートボタンが押下されると、設定内容取得部４２ｆは、ＵＩ３０にてユーザにより設定された画像処理条件の設定内容を取得し、当該設定内容をコンテンツ選択部４２ｃに渡す。ここでは、設定内容として、倍率２５％、カラーモード（カラー＝２）、および原稿サイズ２１０ｍｍが取得されたものとする。
【００４７】
コンテンツ選択部４２ｃは、画像パラメータ抽出部４２ｂから受け取った画像パラメータ（ここでは「８」とする）に基づきコンテンツのグループを特定し、特定されたグループに属するコンテンツの中から、設定内容取得部４２ｆから受け取った設定内容に基づきユーザに提供すべきコンテンツを選択する。具体的には、コンテンツ選択部４２ｃは、画像パラメータ「８」に基づいてグループ番号「８」を特定する。また、倍率２５％、カラーモード（カラー＝２）、および原稿サイズ２１０ｍｍを、下記式
25×2×210 = 10500
のとおりに掛け合わせて、算出された値「１０５００」の最上位の１桁の値「１」に基づいてコンテンツ番号「１」を特定する。すなわち、コンテンツ選択部４２ｃは、コンテンツ識別子（８，１）で識別されるコンテンツを選択する。そして、コンテンツ選択部４２ｃは、コンテンツ識別子（８，１）に対応付けられたコンテンツをコンテンツ提供サーバ１から取得する。
【００４８】
以上のとおり、本実施の形態では、画像パラメータに基づきコンテンツのグループを特定し、特定されたグループに属するコンテンツの中から、他の所定のパラメータに基づきコンテンツを選択する。このため、本実施の形態によれば、コンテンツの選択に対して、ユーザから提示された原稿を作用させつつ、他の要因も作用させることができ、よりアミューズメント性を高めることができる。具体的には、原稿によってコンテンツ選択の方向性（例えばキャラクタ属性やレア度）が決まる一方、同じ原稿であってもユーザ操作や時刻などの他の要因によって様々なコンテンツが提供されるので、ユーザにとっておもしろみが大きい。
【００４９】
なお、本発明は、上記実施の形態に限定されるものではなく、本発明の要旨を逸脱しない範囲内で種々変更することができる。例えば、コンテンツ提供制御部４２の機能の一部または全部は、コンテンツ提供サーバ１側に設けられてもよい。また、コピー機２内にコンテンツが格納され、コピー機２単体でコンテンツ提供システム１００、２００が実現されてもよい。
【００５０】
また、コンテンツは、ゲームソフト、音楽ファイル、または動画ファイルなど、画像データ以外のデジタルデータであることも可能である。コンテンツが出力される媒体は、フラッシュメモリやＣＤ−Ｒなど、印刷媒体以外の媒体であることも可能である。また、原稿の読み込みやコンテンツの出力は、コピー機以外の装置により実施されることも可能である。
【００５１】
また、上記実施の形態では、コンテンツが販売される場合を例にとって説明したが、コンテンツは景品（おまけ）等として提供されてもよい。例えば、コピーのおまけとしてコンテンツが提供される形態が考えられる。この形態では、コピーの原稿をコンテンツ選択用の原稿として利用することができる。また、コピー用に設定された画像処理条件をコンテンツ選択用のパラメータとして利用することができる。
【００５２】
また、上記第２の実施の形態では、コンテンツを予めグループ分けすることとしたが、必ずしも明確にグループ分けする必要はなく、例えば次のような構成としてもよい。すなわち、コンテンツ提供サーバ１には、１００種類のコンテンツが、コンテンツ識別子ｉ（ｉは０〜９９の整数）と対応付けて保存される。コンテンツ選択部４２ｃは、画像パラメータに基づき開始値Ａ（Ａは０〜９０の整数）を決定し、画像処理条件の設定内容に基づき加算値Ｂ（Ｂは０〜９の整数）を決定し、コンテンツ識別子（Ａ＋Ｂ）のコンテンツを選択する。すなわち、コンテンツ選択部４２ｃは、画像パラメータに基づいて、コンテンツ識別子がＡから（Ａ＋９）までのコンテンツ群（グループ）を特定し、このコンテンツ群の中から、設定内容に基づいてコンテンツ識別子（Ａ＋Ｂ）のコンテンツを選択する。この構成では、コンテンツ識別子ｉは、コンテンツの属性（ゲームキャラクタの強さ等の属性や、カードのレア度など）に応じて順番に各コンテンツに割り当てられるとよい。例えば、コンテンツ識別子ｉが大きくなるほどレア度が高くなるように割り当てられるとよい。
【００５３】
また、上記第２の実施の形態では、画像パラメータに基づきコンテンツのグループを特定し、当該グループの中から他の所定のパラメータに基づきコンテンツを選択することとしたが、画像パラメータと他の所定のパラメータとに基づくコンテンツの選択方法には、別の方法もあり得る。
【図面の簡単な説明】
【００５４】
【図１】第１の実施の形態に係るコンテンツ提供システムの全体構成を示すブロック図である。
【図２】コピー機の構成を示すブロック図である。
【図３】第１の実施の形態におけるコンテンツ提供制御部の構成を示すブロック図である。
【図４】コンテンツ提供におけるコントローラの動作手順を示すフローチャートである。
【図５】第２の実施の形態におけるコンテンツ提供制御部の構成を示すブロック図である。
【符号の説明】
【００５５】
１  コンテンツ提供サーバ、２  コピー機、１０  スキャナ、２０  プリントエンジン、３０  ユーザインタフェース（ＵＩ）、４０  コントローラ、４１  コピー機能制御部、４２  コンテンツ提供制御部、４２ａ  画像データ取得部、４２ｂ  画像パラメータ抽出部、４２ｃ  コンテンツ選択部、４２ｄ  コンテンツ印刷制御部、４２ｅ  課金部、４２ｆ  設定内容取得部、１００，２００  コンテンツ提供システム。
【図１】
2007111209.tif 000003
【図２】
2007111209.tif 000004
【図３】
2007111209.tif 000005
【図４】
2007111209.tif 000006
【図５】
2007111209.tif 000007